(57)【要約】【課題】簡便な手段で副調整室とスタジオの会話を可能とする。【解決手段】制御手段が、トークバックスイッチがＯＮの間（例えば、時点ｔ１→ｔ２）、スタジオのマイクから副調整室のスピーカーへの音声をカット（オフ）するとともに、トークバックスイッチのＯＮが解除された時点（例えば、時点ｔ２）から、予め設定された所定のタイマー時間Ｔ（例えば、時点ｔ３まで）を内蔵タイマでカウント（計測）しながら、その間、スタジオのマイクから副調整室のスピーカーへバックトーク音声を伝達する。【選択図】図２
2008193619.tif 000002
【特許請求の範囲】
【請求項１】
スタジオと副調整室の間での会話を制御するトークバック装置であって、
前記スタジオに設けたスピーカー及びマイクと、
前記副調整室に設けたマイク、スピーカー、及び、ＯＮの間は副調整室のマイクからスタジオのスピーカーへトークバック音声を伝達するためのトークバックスイッチと、
前記トークバックスイッチがＯＮの間、スタジオのマイクから副調整室のスピーカーへの音声をカットするとともに、前記トークバックスイッチのＯＮが解除された時点から予め設定された所定のタイマー時間の間、スタジオのマイクから副調整室のスピーカーへバックトーク音声を伝達する、制御手段と、
を有することを特徴とするトークバック装置。
【請求項２】
与えられる操作に応じ、前記タイマー時間の設定を変更する変更手段を有することを特徴とする請求項１記載のトークバック装置。
【請求項３】
前記制御手段は、スタジオのマイクから副調整室のスピーカーへバックトーク音声を伝達している前記タイマー時間の間に、前記トークバックスイッチが操作されると、前記タイマー時間をリセットして再度カウントするように構成されたことを特徴とする請求項１又は２記載のトークバック装置。
【請求項４】
スタジオに設けたスピーカー及びマイクと、
副調整室に設けたマイク、スピーカー、及び、ＯＮの間は副調整室のマイクからスタジオのスピーカーへトークバック音声を伝達するためのトークバックスイッチと、
前記スタジオと前記副調整室の間での会話を制御する制御手段と、
を有するトークバック装置の制御方法であって、
前記制御手段により、前記トークバックスイッチがＯＮの間、スタジオのマイクから副調整室のスピーカーへの音声をカットするとともに、前記トークバックスイッチのＯＮが解除された時点から予め設定された所定のタイマー時間の間、スタジオのマイクから副調整室のスピーカーへバックトーク音声を伝達する、制御処理を実行する
ことを特徴とするトークバック装置の制御方法。
【請求項５】
タイマー時間を変更する変更手段により、所定の入力装置から与えられる操作に応じ、前記タイマー時間の設定を変更する、変更処理を含むことを特徴とする請求項４記載のトークバック装置の制御方法。
【請求項６】
前記制御手段は前記制御処理において、スタジオのマイクから副調整室のスピーカーへバックトーク音声を伝達している前記タイマー時間の間に、前記トークバックスイッチが操作されると、前記タイマー時間をリセットして再度カウントすることを特徴とする請求項４又は５記載のトークバック装置の制御方法。
【請求項７】
スタジオに設けたスピーカー及びマイクと、
副調整室に設けたマイク、スピーカー、及び、ＯＮの間は副調整室のマイクからスタジオのスピーカーへトークバック音声を伝達するためのトークバックスイッチと、
を有するトークバック装置の制御プログラムであって、
コンピュータの演算制御部を制御することにより、前記スタジオと前記副調整室の間での会話を制御する制御手段を実現するとともに、
前記制御手段により、前記トークバックスイッチがＯＮの間、スタジオのマイクから副調整室のスピーカーへの音声をカットするとともに、前記トークバックスイッチのＯＮが解除された時点から予め設定された所定のタイマー時間の間、スタジオのマイクから副調整室のスピーカーへバックトーク音声を伝達する、制御処理を実行させる
ことを特徴とするトークバック装置の制御プログラム。
【請求項８】
前記コンピュータの前記演算制御部を制御することにより、タイマー時間を変更する変更手段を実現するともに、
前記変更手段により、所定の入力装置から与えられる操作に応じ、前記タイマー時間の設定を変更する変更処理を実行させる
ことを特徴とする請求項７記載のトークバック装置の制御プログラム。
【請求項９】
前記制御手段により前記制御処理において、スタジオのマイクから副調整室のスピーカーへバックトーク音声を伝達している前記タイマー時間の間に、前記トークバックスイッチが操作された場合に、前記タイマー時間をリセットして再度カウントさせることを特徴とする請求項７又は８記載のトークバック装置の制御プログラム。
【発明の詳細な説明】
【技術分野】
【０００１】
本発明は、スタジオと副調整室間の会話を支援する技術の改良に関する。
【背景技術】
【０００２】
従来より、音楽などの録音は、スタジオの音声（本出願において音響全般を意味する）を、隣接した副調整室でモニターしながら行うが、副調整室の側でスイッチを押しながら副調整室内のマイクから指示等を話しかけてスタジオ内のスピーカーから音声を出力させることをトークバックと呼び、そのための装置をトークバック装置と呼ぶ。
【０００３】
トークバックに対し、スタジオの作業者側から副調整室側へ返事などで話しかけることはバックトークと呼ぶが、このようなスタジオ側の音声は、スタジオの天井等にスタジオ内の音を集音するマイクが設置されているため、副調整室側にあるスピーカーなどでモニターすることで聴くことができる。
【０００４】
図３は、従来のトークバック装置の一例を示すもので、副調整室において、トークバック時はボリウムＶを絞ってトークバックスイッチ（図中「ＴＢ  ＳＷ」と表す）を押してスタジオ１に向かって話しかける。
【特許文献１】特開平１０−１２６８７９
【発明の開示】
【発明が解決しようとする課題】
【０００５】
そして、上記のようなトークバック装置において、スタジオ内のモニター音声を流しっぱなしで副調整室からトークバックすると、操作は簡単で会話は楽な反面、モニター音声がうるさく邪魔になったりハウリングが生じる等の不都合があるため、従来では、副調整室側でトークバックする際にボリウムＶ等のスイッチ操作でモニター音声をカットし、その後、バックトークを聞くために再びボリウムを戻すなどの煩雑な操作が必要であった。
【０００６】
また、本出願人は、位相相殺などの電子処理によりトークバック音声からモニター音声を取り除く提案を出願しているが（特許文献１参照）、音声に関する電子処理の追加は、音声処理系の更新や組込プログラムの改修などの負担もあるため、より簡便な技術的解決手段が潜在的に待望されていた。
【０００７】
本発明は、上記のような課題を解決するもので、その目的は、簡便な手段で副調整室とスタジオの会話を可能とすることである。
【課題を解決するための手段】
【０００８】
上記の目的をふまえ、本発明の一態様は、スタジオと副調整室の間での会話を制御するトークバック装置であって、前記スタジオに設けたスピーカー及びマイクと、前記副調整室に設けたマイク、スピーカー、及び、ＯＮの間は副調整室のマイクからスタジオのスピーカーへトークバック音声を伝達するためのトークバックスイッチと、前記トークバックスイッチがＯＮの間、スタジオのマイクから副調整室のスピーカーへの音声をカットするとともに、前記トークバックスイッチのＯＮが解除された時点から予め設定された所定のタイマー時間の間、スタジオのマイクから副調整室のスピーカーへバックトーク音声を伝達する、制御手段と、を有することを特徴とする。
【０００９】
このように、副調整室からスタジオへのトークバックの際、トークバックスイッチのＯＮ終了時点から所定時間の間、スタジオ内マイクからのバックトーク音声を副調整室へ流す簡単な制御により、スタジオのモニター音声を副調整室内で出しっぱなしにしてハウリングが生じる等の不都合や、位相相殺など高度な電子制御の導入負担無しで、副調整室とスタジオ間の会話が円滑容易になる。
【００１０】
本発明の他の態様は、さらに、与えられる操作に応じ、前記タイマー時間の設定を変更する変更手段を有することを特徴とする。
【００１１】
このように、スタジオから副調整室へのバックトーク音声を伝達するタイマー時間を変更可能とすることにより、用途や事情に応じて最適な使い勝手を実現可能となる。
【００１２】
本発明の他の態様は、さらに、前記制御手段は、スタジオのマイクから副調整室のスピーカーへバックトーク音声を伝達している前記タイマー時間の間に、前記トークバックスイッチが操作されると、タイマー時間をリセットして再度カウントするように構成されたことを特徴とする。
【００１３】
このように、スタジオから副調整室へバックトーク音声を伝達中でも、副調整室でトークバックスイッチを再度押せばタイマー時間の計測をリセットして再スタートすることにより、スタジオからのバックトーク音声を状況に応じて臨機応変に所定時間より延長して聴くことが可能となる。
【００１４】
なお、方法及びプログラムについても、以上の各態様に準じる。
【発明の効果】
【００１５】
以上のように、本発明によれば、簡便な手段で副調整室とスタジオの会話が可能となるので、レコーディング等の作業における円滑な意思疎通や作業品質の改善が容易になる。
【発明を実施するための最良の形態】
【００１６】
次に、本発明を実施するための最良の実施形態について、図に沿って説明する。なお、背景技術や課題と共通の前提事項については適宜省略する。
【００１７】
〔１．構成〕
本実施形態は、スタジオと副調整室の間での会話を制御するトークバック装置（以下「本装置」と呼ぶ）を示すもので、本装置は、図１の構成図に示すように、スタジオ１に設けたトークバック用のスピーカーＴＳと、バックトークにも用いる集音マイクＭ１と、を有する。なお、図中の符号「ＨＡ」は各部に適宜装備するヘッドアンプである。また、本装置は、副調整室２に設けたトークバック用のマイクＭ２と、バックトーク用のスピーカーＢＳと、トークバックスイッチ３と、を有する。
【００１８】
このトークバックスイッチ３は、典型的には自動復帰の押ボタンタイプのＯＮ／ＯＦＦ接点で、ＯＮの間は副調整室のマイクＭ２からスタジオ１のスピーカーＴＳへトークバック音声を伝達するためのもので、リモコンなど他の形式でもよい。また、集音マイクＭ１からスピーカーＢＳへの経路では、例えば副調整室２側に電子制御スイッチＥを設ける。
【００１９】
また、本装置は、所定のタイマー時間に基いて各マイクやスピーカーを用いる会話を制御する制御手段４を有し、この制御手段４は、タイマー時間の設定変更を行う変更手段である時間変更部６と、タイマー時間計測用の内蔵タイマ８と、を有する。
【００２０】
これら各手段４，６，８は、ＡＳＩＣやＦＰＧＡなどの電子回路で実現してもよいが、本装置の図示しないＣＰＵやその周辺回路を、予め用意した制御プログラムで制御することで実現してもよく、本発明及び本実施形態の以下のような機能作用を実現実行する処理手段である。
【００２１】
〔２．作用〕
上記のように構成された本装置の作用を説明するタイミングチャートを図２に示す。すなわち、本実施形態では、制御手段４が電子制御スイッチＥを用いて、トークバックスイッチ（ＴＢ  ＳＷ）３がＯＮの間（例えば、時点ｔ１→ｔ２）、スタジオ１のマイクＭ１から副調整室２のスピーカーＢＳへの音声をカット（オフ）するとともに、トークバックスイッチ３のＯＮが解除された時点（例えば、時点ｔ２）から、予め設定された所定のタイマー時間Ｔ（例えば、時点ｔ３まで）を内蔵タイマ８でカウント（計測）しながら、その間、スタジオ１のマイクＭ１から副調整室２のスピーカーＢＳへバックトーク音声を伝達する（制御処理）。
【００２２】
また、バックトーク音声を伝達するタイマー時間は変更可能としてもよく、この場合、時間変更部６が、別途設ける図示しない調節ダイヤルなどで与えられる操作に応じ、前記タイマー時間の設定（例えば秒数）を変更する（変更処理）。
【００２３】
さらに、バックトークを聞く時間は延長可能であり、すなわち、制御手段４は、スタジオ１のマイクＭ１から副調整室２のスピーカーＢＳへバックトーク音声を伝達している前記タイマー時間の間に（例えば、時点ｔ６）、トークバックスイッチ３が操作されると（時点ｔ６→ｔ７）、タイマー時間をリセットして再度カウントを開始する（時点ｔ７以降）。
【００２４】
なお、このようにバックトーク音声伝達のためにバックトークスピーカーＢＳがＯＮで未だ所定のタイマー時間Ｔが経過していない時でも、バックトークスイッチ３を押している間（時点ｔ６→ｔ７）は、バックトーク音声はＯＦＦとなる。
【００２５】
〔３．効果〕
以上のように、本実施形態では、制御手段４により、副調整室２からスタジオ１へのトークバックの際、トークバックスイッチ３のＯＮ終了時点から所定時間の間、スタジオ内マイクＭ１からのバックトーク音声を副調整室２へ流す簡単な制御により、スタジオ１のモニター音声を副調整室２内で出しっぱなしにしてハウリングが生じる等の不都合や、位相相殺など高度な電子制御の導入負担無しで、副調整室２とスタジオ１間の会話が円滑容易になる。
【００２６】
また、本実施形態では、時間変更部６により、スタジオ１から副調整室２へのバックトーク音声を伝達するタイマー時間を変更可能とすることにより、用途や事情に応じて最適な使い勝手を実現可能となる。
【００２７】
さらに、本実施形態では、制御手段４により、スタジオ１から副調整室２へバックトーク音声を伝達中でも、副調整室２でトークバックスイッチ３を再度押せばタイマー時間の計測をリセットして再スタートすることにより、スタジオからのバックトーク音声を状況に応じて臨機応変に所定時間より延長して聴くことが可能となる。
【００２８】
〔４．他の実施形態〕
なお、本発明は、上記実施形態に限定されるものではなく、以下に例示するものやそれ以外の他の実施形態も含むものである。例えば、スイッチ類やヘッドアンプその他の要素間において、組み込む数や具体的な素子タイプ、物理的電気的な配置構成その他の詳細は適宜変更可能であり、内蔵タイマ８と電子制御スイッチＥをタイマ付リレーなどで一体化したり、時間変更部６を省略することも考えられる。
【図面の簡単な説明】
【００２９】
【図１】本発明の実施形態の構成を示す図。
【図２】本発明の実施形態におけるタイミングチャートを示す図。
【図３】従来のトークバック装置を例示する図。
【符号の説明】
【００３０】
１…スタジオ
２…副調整室
３…トークバックスイッチ
４…制御手段
６…時間変更部
８…内蔵タイマ
Ｍ１，Ｍ２…マイク
ＴＳ，ＢＳ…スピーカー
Ｅ…電子制御スイッチ
【図１】
2008193619.tif 000003
【図２】
2008193619.tif 000004
【図３】
2008193619.tif 000005